(57)【要約】【課題】不要放射の抑制が可能で、終端・給電の切換機構を簡易化しスイッチの多段化による損失増加が避けられる、小型なマルチビームアンテナを提供する。【解決手段】スイッチ７０１，７０２を介して給電手段５０１，５０２及びスイッチ７０３，７０４を介して終端手段６を一つの素子の異なる個所に接続する２つのパッチアンテナ素子３０１，３０２と、２つの該パッチアンテナの間にＮ素子（Ｎ：自然数）の互いに重ならないよう一列に配置されるパッチアンテナ３１０と、隣接するパッチアンテナ素子全ての間に線路４による結合手段または電磁的な結合手段を具備し、スイッチ７０１，７０４（７０２，７０３）を接続、スイッチ７０２，７０３（７０１，７０４）を開放することにより一方にビームを形成し、全スイッチの接続と開放を入れ替えることにより他方にビームを形成する。【選択図】図１
2005020368.tif 000002
【特許請求の範囲】
【請求項１】
給電手段及び定常的に接続されるまたは接続・開放可能な終端手段の両方を一つの素子の異なる個所に同時に有する２つのパッチアンテナ素子と、該２つのパッチアンテナの間にＮ素子（Ｎ：自然数）の互いに重ならないように一列に配置されるパッチアンテナ素子と、隣接するパッチアンテナ素子全ての間に線路による結合手段または電磁的な結合手段を具備することを特徴とするマルチビームアンテナ。
【請求項２】
給電手段を具備する２つのパッチアンテナ素子と、該２つのパッチアンテナ素子の間にＮ素子（Ｎ：自然数）の互いに重ならないように一列に配置されるパッチアンテナ素子と、該Ｎ素子のパッチアンテナ素子のうち少なくとも１つは定常的に接続されるまたは接続・開放可能な終端手段を具備し、隣接するパッチアンテナ素子全ての間に線路による結合手段または電磁的な結合手段を具備することを特徴とするマルチビームアンテナ。
【請求項３】
グランド付き平面誘電体基板上またはグランド上に空間を介して構成されるグランドと平行な導体面により構成されるパッチアンテナ素子群を具備し、該パッチアンテナ素子群は少なくとも１素子の給電されるパッチアンテナ素子とＮ素子（Ｎ：自然数）の該給電されるパッチアンテナ素子よりも電気的に小さな無給電のパッチアンテナ素子からなる素子列を２つ以上具備する素子群から構成されるマルチビームアンテナにおいて、
給電される該パッチアンテナ素子の少なくとも１素子は給電手段と異なる場所に定常的に接続されるまたは接続・開放可能な終端手段を具備し、該パッチアンテナ素子群は給電される該パッチアンテナ素子を始点とした半直線上に全ての無給電の該パッチアンテナ素子を有する素子列であって、該半直線は全て他の何れかの半直線に完全に包含されること無く交差、もしくは重なる半直線であって、全ての該素子列は少なくとも１素子の無給電の該パッチアンテナ素子が他の素子列との間で共用な素子列であることを特徴とするマルチビームアンテナ。
【請求項４】
グランド付き平面誘電体基板上またはグランド上に空間を介して構成されるグランドと平行な導体面により構成されるパッチアンテナ素子群を具備し、該パッチアンテナ素子群は少なくとも１素子の給電されるパッチアンテナ素子とＮ素子（Ｎ：自然数）の該給電されるパッチアンテナ素子よりも電気的に小さな無給電のパッチアンテナ素子からなる素子列を２つ以上具備する素子群から構成されるマルチビームアンテナにおいて、
Ｎ素子の無給電の該パッチアンテナ素子の少なくとも１素子は定常的に接続されるまたは接続・開放可能な終端手段を具備し、該パッチアンテナ素子群は該給電されるパッチアンテナ素子を始点をした半直線上に全ての該無給電のパッチアンテナ素子を有する素子列であって、該半直線は全て他の何れかの半直線に完全に包含されること無く交差、もしくは重なる半直線であって、全ての該素子列は少なくとも１素子の無給電の該パッチアンテナ素子が他の素子列との間で共用な素子列であることを特徴とするマルチビームアンテナ。
【発明の詳細な説明】
【０００１】
【発明の属する技術分野】
本発明は平面アレーアンテナにより実現される小型なマルチビームアンテナに関する。
【０００２】
【従来の技術】
平面アレーアンテナによる小型なマルチビームアンテナの実現方法として、線路による手段または電磁的な手段により隣接素子どうしが結合するリニアアレーアンテナの両端の素子に１つずつ給電点を設け、給電点を切り替えることによってリニアレー方向に２つのビームを形成する手法が挙げられる。一つのリニアアレーアンテナで２つのビームを実現できるため、マルチビームアンテナの小型化が実現できる。
【０００３】
従来技術における、小型なマルチビームアンテナの第一の例としてリニアアレーアンテナを用いたデュアルビームアンテナを図６に示す（非特許文献１）。
グランド２を背面に持つ誘電体基板１の表面にパッチアンテナ素子８によるリニアアレーを構成し、８はそれぞれ、２のグランド背面に構成される４の誘電体イメージ線路により３のスロットを介して励振される。線路４は両端より給電され、一方のみから給電した場合は一つのビーム、両方から給電した場合は二つのビームが同時に形成される。両方から給電することによって、２つの別々のアンテナを用いた場合と比べ、アンテナサイズが半分になるというメリットがある。
従来における小型なマルチビームアンテナの第二の例を図７に示す（特許文献１、非特許文献２）。
【０００４】
グランド２を背面に持つ誘電体基板１の上に２つのパッチアンテナ３０１，３０２を構成し、パッチアンテナ３０１，３０２の間にパッチアンテナ３０１，３０２より電気長の小さい無給電のパッチアンテナ素子群３２０を構成する。パッチアンテナ３０１は５０１の給電手段と６の終端手段を持ち、スイッチ７１１により給電手段５０１または終端手段３０１に接続することができる。パッチアンテナ３０２も同様の構造を持つ。パッチアンテナ３０１に給電する（給電手段と接続する）と、電磁結合により３２０の無給電パッチアンテナ素子群が励振される。これによってこのマルチビームアンテナは、パッチアンテナ３０１を給電素子、無給電パッチアンテナ素子群３２０を導波器とするパッチ八木・宇田アンテナとして動作する。よって、主ビームがパッチアンテナ３０１から３０２の方向へ形成される。一方、パッチアンテナ３０１からパッチアンテナ素子群３２０を介して伝わる進行波はアレー末端であるパッチアンテナ３０２にて反射し、逆向きの進行波が生じ主ビームと反対側に高いバックローブが形成されるため、パッチアンテナ３０２をスイッチ７１２を介して６の終端手段と接続することによってこれを抑制し、高いＦ／Ｂ（前後比）を持つ放射特性が得られる。また、パッチアンテナ３０２に給電した場合も同様に反対方向に主ビームを形成することが可能なため、一つの構成で２つのビームを持つマルチビームアンテナが実現できる。
【０００５】
【非特許文献１】
“Ｍｉｌｌｉｍｅｔｅｒ−Ｗａｖｅ  Ｄｕａｌ−Ｂｅａｍ  Ｓｃａｎｎｉｎｇ  Ｍｉｃｒｏｓｔｒｉｐ  Ｐａｔｃｈ  Ａｎｔｅｎｎａ  Ａｒｒａｙｓ  Ｆｅｄ  ｂｙ  Ｄｉｅｌｅｃｔｒｉｃ  Ｉｍａｇｅ  Ｌｉｎｅｓ”，  ２００２  ＩＥＥＥ  Ａｎｔｅｎｎａｓ  ａｎｄ  Ｐｒｏｐａｇａｔ．  Ｓｏｃ．  Ｉｎｔ．  Ｓｙｍｐ．，  ｖｏｌ．２，  ｐｐ．１９６−１９９，  Ｊｕｎｅ  ２００２
【非特許文献２】
本間，吉良，堀，丸山、「導波素子共有パッチ八木・宇田アレーによる小型６セクタアンテナ」、信学技報、Ａ・Ｐ２００１−８１
【特許文献１】
特開２００３−１４２９１９
【０００６】
【発明が解決しようとする課題】
リニアアレーにより構成され素子が直列的に励振される、２つのビームを持つ給電点切換え型マルチビームアンテナでは、進行波がアレー末端にて反射するため、主ビームと異なる方向に高いレベルの不要放射が発生する。また、不要放射を抑制するために、パッチアンテナの一方を給電する間他方を終端することにより進行波の反射を抑制する方法では、パッチアンテナの給電点を２つの状態（給電・終端）に切り替えることが必要となるため、その機構が複雑になるという問題が生じる。従来技術の第一の例で挙げたマルチビームアンテナは、不要放射を抑えつつ一つのビームのみを得るためには、線路の他方を終端することが必要となり、また二つのビームを切り替えるためには線路の両端に終端・給電の切換機構が必要となる。また、第二の例で挙げたマルチビームアンテナでも同様に、パッチアンテナに終端・給電の切換機構を構成する必要が生じ、構成が複雑化していた。さらに終端・給電の二つの状態を実現するためにはスイッチを多段に構成する必要があるためスイッチによる損失が増大するという問題が生じる。
本発明は、不要放射を抑制することが可能で、かつ終端・給電の切換機構を簡易化しスイッチの多段化による損失増加が避けられる、平面アレーアンテナを用いた小型なマルチビームアンテナを実現するものである。
【０００７】
【課題を解決するための手段】
リニアアレーにより構成されアンテナ素子が直列的に励振される２ビームマルチビームアンテナにおいて、以下の手段により不要放射を抑制可能で、かつ終端・給電の切換機構を簡易化しスイッチの多段化による損失増加が避けられる、平面アレーアンテナを用いた小型なマルチビームアンテナを実現する。
【０００８】
本発明は、給電手段及び定常的に接続されるまたは接続・開放可能な終端手段の両方を一つの素子の異なる個所に同時に有する２つのパッチアンテナ素子と、該２つのパッチアンテナの間にＮ素子（Ｎ：自然数）の互いに重ならないように一列に配置されるパッチアンテナ素子と、隣接するパッチアンテナ素子全ての間に線路による結合手段または電磁的な結合手段を具備することを最も主要な特徴とする。本構成では、リニアアレー両端にあるパッチアンテナ素子において、同一素子の異なる場所に給電手段と終端手段を構成し、パッチアンテナ素子をそれら何れかに接続することによって、２つの状態（給電・終端）を実現できる。これによって給電・終端の切換機構をスイッチの多段化無しに実現できる。また、終端機構を給電素子ではなく、リニアアレーの他の何れかの素子に構成することにより同様の効果が得られる上、電流が集中する給電手段近傍に構成するスイッチを減らすことができるため損失の低減化が可能である。
【０００９】
また、本発明は、グランド付き平面誘電体基板上またはグランド上に空間を介して構成されるグランドと平行な導体面により構成されるパッチアンテナ素子群を具備し、該パッチアンテナ素子群は少なくとも１素子の給電されるパッチアンテナ素子とＮ素子（Ｎ：自然数）の該給電されるパッチアンテナ素子よりも電気的に小さな無給電のパッチアンテナ素子からなるアンテナ素子列を２つ以上具備する素子群から構成されるマルチビームアンテナにおいて、給電される該パッチアンテナ素子の少なくとも１素子は給電手段と異なる場所に定常的に接続されるまたは接続・開放可能な終端手段を具備し、該パッチアンテナ素子群は給電される該パッチアンテナ素子を始点とした半直線上に全ての無給電の該パッチアンテナ素子を有する素子列であって、該半直線は全て他の何れかの半直線に完全に包含されること無く交差、もしくは重なる半直線であって、全ての該素子列は少なくとも１素子の無給電の該パッチアンテナ素子が他の素子列との間で共用な素子列であることを特徴とする。
【００１０】
導波素子を共有する複数のパッチ八木・宇田アンテナにおいて、給電素子に、給電点と異なる場所に、終端手段を構成し、終端手段を開放・接続することによって、二つの状態（給電・終端）を実現できる。これによって給電・終端の切換機構をスイッチの多段化無しに実現できる。また、終端機構を給電素子ではなく、他の何れかの無給電素子に構成することにより同様の効果が得られる上、電流が集中する給電素子に構成するスイッチを減らすことができるため損失の低減化が可能である。
【００１１】
【発明の実施の形態】
図１は本発明の実施例１の構成を示し、図１上が上面図、図１下が側面図であり、本実施例は請求項１に係わる。
１の誘電体基板は背面に２のグランドを持ち、上面にパッチアンテナ３０１，３０２とパッチアンテナ３０１，３０２の間に配置される複数のパッチアンテナ３１０からなるリニアアレーが構成される。リニアアレーはパッチアンテナをマイクロストリップ線路４により直列に接続して構成する。パッチアンテナ３０１には給電手段５０１と終端手段６が別な場所に構成される。パッチアンテナ３０１は、一方はマイクロストリップとスイッチ７０１を介して給電手段５０１に接続され、他方はアンテナ直下のスイッチ７０３を介して終端手段６に接続される。パッチアンテナ３０２も同様である。
【００１２】
スイッチ７０１を接続しスイッチ７０３を開放した場合、パッチアンテナ３０１が励振され、線路４を介して無給電パッチアンテナ素子群３１０が励振される。線路４の長さを適切に設計することにより誘電体基板１の面と直交しリニアアレー方向と平行な面内において、所望の角度の主ビームを得ることができる。またこの時、パッチアンテナ３０２における進行波の反射を抑制するためにスイッチ７０２を開放し、スイッチ７０４を接続することによって、パッチアンテナ３０２と終端手段６を接続することによって反射するエネルギーを減衰し不要放射を抑制する。パッチアンテナ３０２を励振した場合も同様であり、この場合は誘電体基板の面の中心の法線を基準として対称な形状の放射パターンが得られる。よって、給電または終端手段を同一のアンテナ素子に構成することによって、接続・開放の二つの状態を持つスイッチのみによって、スイッチを多段化することなく給電・終端の二つの状態を実現することができ、スイッチによる損失を軽減可能なマルチビームアンテナが実現される。
【００１３】
図２は実施例２のマルチビームアンテナの構成を示し、図２上が上面図、図２下が側面図であり、本実施例は請求項２に係わる。図中、同一部分は同一符号を付してその説明を省略する。
１の誘電体基板上面にパッチアンテナ３０１，３０２，３１１，３１２，３１３のパッチアンテナ素子群によるリニアアレーが構成される。パッチアンテナ３０１と３０２にはスイッチ７０１と７０２を介して給電手段５０１と５０２が構成され、パッチアンテナ３１２と３１３にはスイッチ７０３と７０４を介して終端手段６が構成される。
スイッチ７０１を接続し、スイッチ７０３を開放した場合、３０１のパッチアンテナが励振され、線路４を介してパッチアンテナ３１１と３１２が励振される。この時、スイッチ７０４を接続することによって、パッチアンテナ３１３と終端手段６を接続することによって反射するエネルギーを減衰する。３０２のパッチアンテナを励振した場合も同様であり、別なビームが得られる。従って、給電手段と終端手段を別々のアンテナ素子に構成することができ、接続・開放の２つの状態を持つスイッチのみによって、進行波の反射を減衰し不要放射を抑制しながらも２つのビームを実現する上で損失増大を招く多段のスイッチ構成が避けられ、かつ電流の集中する給電素子に構成するスイッチ数を削減することにより損失を軽減可能なマルチビームアンテナが実現される。
【００１４】
図３は実施例３のマルチビームアンテナの構成を示す図であって、図３上が上面図、図３下が側面図であり、請求項３に係わる。図中、同一部分は同一符号を付してその説明を省略する。
３０１が給電素子であるパッチアンテナであって、一つの素子上の異なる場所に給電手段５０１と終端手段６が構成され、それぞれスイッチ７０１と７０３を介して接続される。ここで素子の励振方向は図中左右方向である。パッチアンテナ３０２も同様である。２つのパッチアンテナ３０１，３０２の間にあるパッチアンテナ素子群３２０は等しい形状の無給電パッチアンテナ素子により構成される無給電素子群であり、パッチアンテナ３０１，３０２より電気長が小さく、直線状に等間隔で整列している。
【００１５】
スイッチ７０１を接続しスイッチ７０３を開放することにより一方のパッチアンテナ３０１に給電を行った場合、本アンテナはパッチアンテナ３０１を給電素子、無給電パッチアンテナ素子群３２０を導波器としたパッチ八木・宇田アンテナとして動作し、パッチアンテナ３０１から導波器の方向に主ビームを形成する。またこの時、パッチアンテナ３０２における進行波の反射を抑制するためにスイッチ７０２を開放し、スイッチ７０４を接続することによって、パッチアンテナ３０２と終端手段６を接続することによって反射するエネルギーを減衰し不要放射を抑制する。パッチアンテナ３０２を励振した場合も同様であり、この場合は基板の面の中心の法線を基準として対称な形状の放射パターンが得られる。従って、給電または終端手段を同一のアンテナ素子に構成することにより、接続・開放の二つの状態を持つスイッチのみによって、スイッチを多段化することなく給電・終端の二つの状態を実現することができ、スイッチによる損失を軽減可能なマルチビームアンテナが実現される。
【００１６】
上記実施例においてはパッチアンテナ素子群は２つの給電されるパッチアンテナ素子を始点とした半直線上に全ての無給電パッチアンテナ素子が配置された２つの素子列を構成する、すなわち、２つの半直線を重ねることにより２つの素子列は無給電パッチアンテナ素子を共用する。また、パッチアンテナ素子を始点とした半直線上に全ての無給電パッチアンテナ素子が配置されたパッチアンテナ素子群２つを直交させる、あるいはパッチアンテナ素子群３つを６０°の角度で交差させる等により、すなわち、半直線を全て他の何れかの半直線に完全に包含されること無く交差させることにより、素子列は少なくとも１素子の無給電パッチアンテナ素子を他の素子列との間で共用とする。
【００１７】
図４は実施例４のマルチビームアンテナの構成を示し、図４上が上面図、図４下が側面図であり、本実施例は請求項４に係わる。図中、同一部分は同一符号を付してその説明を省略する。
１の誘電体基板上面にパッチアンテナ３０１，３０２，３２０，３２１，３２２のパッチアンテナ素子群によるリニアアレーが構成される。パッチアンテナ３０１と３０２にはスイッチ７０１と７０２を介して給電手段５０１と５０２が構成され、パッチアンテナ３２１と３２２にはスイッチ７０３と７０４を介して終端手段６が構成される。
スイッチ７０１を接続しスイッチ７０３を開放した場合、本アンテナはパッチアンテナ３０１を給電素子、パッチアンテナ３２１と無給電パッチアンテナ素子群３２０を導波器としたパッチ八木・宇田アンテナとして動作し、給電素子から導波器の方向に主ビームを形成する。またこの時、スイッチ７０４を接続し、パッチアンテナ３２２と終端手段６を接続することによって進行波のエネルギーを減衰し反射を抑制することにより不要放射を低減する。３０２のパッチアンテナを励振した場合も同様であり、別なビームが得られる。従って、給電手段と終端手段を別々のアンテナ素子に構成することができ、接続・開放の二つの状態を持つスイッチのみによって、進行波の反射を減衰させ不要放射を抑制しながらも２つのビームを実現する上で損失増大を招く多段のスイッチ構成が避けられ、かつ電流の集中する給電素子に構成するスイッチ数を削減することにより損失を軽減可能なマルチビームアンテナが実現される。
【００１８】
上記実施例においてはパッチアンテナ素子群は２つの給電されるパッチアンテナ素子を始点とした半直線上に全ての無給電パッチアンテナ素子が配置された２つの素子列を構成する、すなわち、２つの半直線を重ねることにより２つの素子列は無給電パッチアンテナ素子を共用する。また、パッチアンテナ素子を始点とした半直線上に全ての無給電パッチアンテナ素子が配置されたパッチアンテナ素子群２つを直交させる、あるいはパッチアンテナ素子群３つを６０°の角度で交差させる等により、すなわち、半直線を全て他の何れかの半直線に完全に包含されること無く交差させることにより、素子列は少なくとも１素子の無給電パッチアンテナ素子を他の素子列との間で共用とする。
【００１９】
図５は実施例４のマルチビームアンテナにおけるθ＝６０°における円錐面放射パターンを計算したものである。ここで、給電はパッチアンテナ３０１から行い、終端機構の有無による放射特性の違いを求めた。ここで、素子の励振方向はアレー方向と平行であるとし、放射パターン図の情報がφ＝０°の方向（主ビームの方向）であるとする。計算の結果、パッチアンテナ３２１を開放（スイッチ７０３：開放）、パッチアンテナ３２２を終端とする（スイッチ７０４：接続）ことによって、主ビームと反対方向における放射が抑制されることが確認できる。ここで、点線で示すグラフは、パッチアンテナ３２１と３２２は終端機構が無くパッチアンテナ素子群３２０と同じ導波素子である場合の放射パターンである。以上の結果から、本構成によって、簡易な機構で不要放射が抑制可能であることが確認できる。
【００２０】
【発明の効果】
以上述べたように本発明によれば、リニアアレーにより構成され素子が直列的に励振される２ビームマルチビームアンテナにおいて、少ない不要放射を実現し、かつ終端・給電の切換機構を簡易化しスイッチの多段化による損失増加が避けられる、平面アレーアンテナを用いた小型マルチビームアンテナを提供することができる。
【００２１】
請求項１の発明によれば、給電手段及び定常的に接続されるまたは接続・開放可能な終端手段の両方を一つの素子の異なる個所に同時に有する２つのパッチアンテナ素子と、該２つのパッチアンテナの間にＮ素子（Ｎ：自然数）の互いに重ならないよう一列に配置されるパッチアンテナ素子と、隣接するパッチアンテナ素子全ての間に線路による結合手段または電磁的な結合手段を具備することを特徴とする。リニアアレー両端にあるパッチアンテナ素子において、同一素子の異なる場所に給電手段と終端手段を構成し、パッチアンテナ素子をそれら何れかに接続することによって、２つの状態（給電・終端）を実現できる。これによって、給電・終端の切換機構をスイッチの多段化無しに実現できる。これによって、不要放射抑制、終端機構の簡易化、および終端切換スイッチによる損失の抑制の両立が実現される。
【００２２】
請求項２の発明によれば、給電手段を具備する２つのパッチアンテナ素子と、２つのパッチアンテナ素子の間にＮ素子（Ｎ：自然数）の互いに重ならないように一列に配置されるパッチアンテナ素子と、該Ｎ素子のパッチアンテナ素子のうち少なくとも１つは定常的に接続されるまたは接続・開放可能な終端手段を具備し、隣接するパッチアンテナ素子全ての間に線路による結合手段または電磁的な結合手段を具備することを特徴とする。終端機構を給電素子ではなく、リニアアレーの他の何れかの素子に構成することにより請求項１と同様の効果が得られる上、電流が集中する給電手段近傍に構成するスイッチを減らすことができるため損失の低減化が可能である。これによって、不要放射抑制、終端機構の簡易化、および終端切換スイッチによる損失のさらなる低減が同時に実現される。
【００２３】
請求項３の発明によれば、グランド付き平面誘電体基板上またはグランド上に空間を介して構成されるグランドと平行な導体面により構成されるパッチアンテナ素子群を具備し、該パッチアンテナ素子群は少なくとも１素子の給電されるパッチアンテナ素子と、Ｎ素子（Ｎ：自然数）の該給電素子よりも電気的に小さな無給電のパッチアンテナ素子からなるアンテナ素子列を２つ以上具備する素子群から構成されるマルチビームアンテナにおいて、給電される該パッチアンテナ素子の少なくとも１素子は給電手段と異なる場所に定常的に接続されるまたは接続・開放可能な終端手段を具備し、該パッチアンテナ素子群は給電される該パッチアンテナ素子を始点とした半直線上に全ての無給電の該パッチアンテナ素子を有する素子列であって、該半直線は全て他の何れかの半直線に完全に包含されること無く交差、もしくは重なる半直線であって、全ての該素子列は少なくとも１素子の無給電の該パッチアンテナ素子が他の素子列との間で共用な素子列であることを特徴とする。素子列の端にある給電パッチアンテナ素子において、同一素子の給電手段とは異なる場所に終端手段を構成し、終端手段を開放・接続することによって、２つの状態（給電・終端）を実現できる。これによって給電・終端の切換機構をスイッチの多段化無しに実現できる。これによって、不要放射抑制、終端機構の簡易化、および終端切換スイッチによる損失の抑制の両立が実現される。
【００２４】
請求項４の発明によれば、グランド付き平面誘電体基板上またはグランド上に空間を介して構成されるグランドと平行な導体面に構成されるパッチアンテナ素子群を具備し、該パッチアンテナ素子群は少なくとも１素子の給電されるパッチアンテナ素子と、Ｎ素子（Ｎ：自然数）の該給電されるパッチアンテナ素子よりも電気的に小さな無給電のパッチアンテナ素子からなるアンテナ素子列を２つ以上具備する素子群から構成されるマルチビームアンテナにおいて、無給電の該パッチアンテナ素子の少なくとも１素子は定常的に接続されるまたは接続・開放可能な終端手段を具備し、該パッチアンテナ素子群は給電される該パッチアンテナ素子を始点とした半直線上に全ての無給電の該パッチアンテナ素子を有する素子列であって、該半直線は全て他の何れかの半直線に完全に包含されること無く交差、もしくは重なる半直線であって、全ての該素子列は少なくとも１素子の無給電の該パッチアンテナ素子が他の素子列との間で共用な素子列であることを特徴とする。終端機構を給電素子ではなく、何れかの無給電素子に構成することにより請求項３と同様の効果が得られる上、電流が集中する給電手段近傍に構成するスイッチを減らすことができるため損失の低減化が可能である。これによって、不要放射抑制、終端機構の簡易化、および終端切換スイッチによる損失の更なる低減が同時に実現される。
【図面の簡単な説明】
【図１】実施例１のマルチビームアンテナの構成図。
【図２】実施例２のマルチビームアンテナの構成図。
【図３】実施例３のマルチビームアンテナの構成図。
【図４】実施例４のマルチビームアンテナの構成図。
【図５】実施例４のマルチビームアンテナの指向性パターンを示す図。
【図６】従来のマルチビームアンテナの第一の例を示す構成図。
【図７】従来のマルチビームアンテナの第二の例を示す構成図。
【符号の説明】
１    誘電体基板
２    グランド
３０１，３０２，３１０，３１１〜３１３，３２１，３２２        パッチアンテナ
３２０        無給電パッチアンテナ素子群
４    線路
５０１，５０２        給電手段
６        終端手段
７０１，７０２，７０３，７０４        スイッチ
【図１】
2005020368.tif 000003
【図２】
2005020368.tif 000004
【図３】
2005020368.tif 000005
【図４】
2005020368.tif 000006
【図５】
2005020368.tif 000007
【図６】
2005020368.tif 000008
【図７】
2005020368.tif 000009